(57)【要約】【課題】  感光体ユニットに現像ユニットを取り付けたイメージングユニットを梱包箱内に収容させたイメージングユニット梱包体に大きな衝撃が加わった場合に、感光体ユニットに対する現像ユニットの取付状態等が変化するのを防止する。【解決手段】  感光体11を備えた感光体ユニット10に、現像装置21を備えた現像ユニット20が取り付けられたイメージングユニットＡを梱包箱50内に収容させたイメージングユニット梱包体において、イメージングユニットの両側にイメージングユニットを持ち上げた状態で保持する保持部材33と、イメージングユニットと所要間隔を介してその周囲を覆う筒状になった補強部材40とを設け、イメージングユニットにおける現像ユニットと補強部材との間に第１クッション材41を設けると共に、補強部材と梱包箱との間に第２クッション材42を設けた。【選択図】  図５
2009220837.tif 000002
【特許請求の範囲】
【請求項１】
感光体を備えた感光体ユニットに、現像装置を備えた現像ユニットが取り付けられたイメージングユニットを梱包箱内に収容させたイメージングユニット梱包体において、上記のイメージングユニットの両側にイメージングユニットを持ち上げた状態で保持する保持部材と、イメージングユニットと所要間隔を介してその周囲を覆う筒状になった補強部材とを設け、上記のイメージングユニットにおける現像ユニットと補強部材との間に第１クッション材を設けると共に、上記の補強部材と梱包箱との間に第２クッション材を設けたことを特徴とするイメージングユニット梱包体。
【請求項２】
請求項１に記載のイメージングユニット梱包体において、上記の補強部材が可撓性を有することを特徴とするイメージングユニット梱包体。
【請求項３】
請求項１又は請求項２に記載のイメージングユニット梱包体において、上記の第２クッション材を上記の第１クッション材よりも硬度の高い材料で構成したことを特徴とするイメージングユニット梱包体。
【請求項４】
請求項１〜請求項３の何れか１項に記載のイメージングユニット梱包体において、上記の感光体ユニットに現像ユニットが付勢手段により付勢された状態で取り付けられていることを特徴とするイメージングユニット梱包体。
【請求項５】
請求項１〜請求項４の何れか１項に記載のイメージングユニット梱包体において、上記の感光体ユニットに取り付けられた現像ユニットを下にして、上記のイメージングユニットを梱包箱内に収容させたことを特徴とするイメージングユニット梱包体。
【請求項６】
請求項１〜請求項５の何れか１項に記載のイメージングユニット梱包体において、上記の第１クッション材を、感光体ユニットに現像ユニットを取り付ける取付位置の下方における現像ユニットと補強部材との間に設けたことを特徴とするイメージングユニット梱包体。
【発明の詳細な説明】
【技術分野】
【０００１】
本発明は、感光体を備えた感光体ユニットに、現像装置を備えた現像ユニットが取り付けられたイメージングユニットを梱包箱内に収容させたイメージングユニット梱包体に係り、特に、上記のイメージングユニット梱包体を輸送したりする際に、イメージングユニット梱包体が落下する等により、このイメージングユニット梱包体に大きな衝撃が加わった場合に、上記のイメージングユニットに加わる衝撃を緩和させて、イメージングユニットにおける感光体ユニットと現像ユニットとの取付状態等が変化するのを防止するようにした点に特徴を有するものである。
【背景技術】
【０００２】
従来から、複写機やプリンタ等の画像形成装置に用いる各種のユニットを、段ボール等で構成された梱包箱内に収容させて、運搬したり、保管したりすることが行われている。
【０００３】
例えば、特許文献１においては、複数のトナーカートリッジをまとめて包装して１つの梱包体内に収容させるようにしたものが提案されている。
【０００４】
また、近年においては、感光体を備えた感光体ユニットや、現像装置を備えた現像ユニットを梱包箱内に収容させるにあたり、感光体を備えた感光体ユニットに、現像装置を備えた現像ユニットを取り付けたイメージングユニットを梱包箱内に収容させたイメージングユニット梱包体が用いられるようになった。
【０００５】
ここで、このようなイメージングユニットを梱包箱内に収容させるにあたっては、例えば、図１に示すように、感光体ユニット１０に現像ユニット２０を取り付けた時に歪みが発生するのを抑制するため、感光体ユニット１０に対して現像ユニット２０の両側部をスプリング等の付勢部材３１により付勢させた状態で取付部材３２によって取り付けるようにしている。
【０００６】
そして、このように感光体ユニット１０に現像ユニット２０が取り付けられたイメージングユニットＡの両側に保持部材３３を配置させ、各保持部材３３における保持用凹部３３ａ内に、上記のイメージングユニットＡにおける感光体ユニット１０の長手方向両側の端部を挿入させて、この感光体ユニット１０に現像ユニット２０を吊り下げるようにして、このイメージングユニットＡを一対の保持部材３３間に持ち上げた状態で保持させると共に、段ボールなどで構成された補強部材４０を筒状に折り曲げ、この筒状になった補強部材４０により、上記のイメージングユニットＡと所要間隔を介するようにしてその周囲を覆うようにする。
【０００７】
次いで、このように一対の保持部材３３によって保持させると共に筒状になった補強部材４０で所要間隔を介してその周囲を覆った状態で、このイメージングユニットＡを梱包箱５０内に収容させ、上記の各保持部材３３において、下方に突出した下緩衝用突起３３ｂと、上方に突出した上緩衝用突起３３ｃと、側方に突出した横緩衝用突起３３ｄとを、それぞれ梱包箱５０の底部と、上部と、側部との内面に当接させるようにしている。
【０００８】
そして、このように梱包箱５０の内面に当接させた各保持部材３３における各緩衝用突起３３ｂ，３３ｃ，３３ｄや上記の補強部材４０により、衝撃時にイメージングユニットＡに加わる負荷を軽減させると共に、上記の付勢部材３１により感光体ユニット１０と現像ユニット２０との間に加わる負荷を軽減させて、感光体ユニット１０に対する現像ユニット２０の取付状態が変化するのを防止するようにしている。
【０００９】
しかし、このようにしてイメージングユニットＡを梱包箱４０内に収容させた場合においても、このイメージングユニット梱包体がある程度の高さから落下される等により、上記のイメージングユニットＡに付勢部材３１の許容値を超える大きな衝撃が加わると、上記の取付部材３２が変形して、感光体ユニット１０に対する現像ユニット２０の取付状態が変化する等の問題があった。
【特許文献１】特開平１０−１３９０７０号公報
【発明の開示】
【発明が解決しようとする課題】
【００１０】
本発明は、感光体を備えた感光体ユニットに、現像装置を備えた現像ユニットが取り付けられたイメージングユニットを梱包箱内に収容させたイメージングユニット梱包体において、このイメージングユニット梱包体がある程度の高さから落下される等により、大きな衝撃が加わった場合においても、感光体ユニットに対する現像ユニットの取付状態等が変化するのを十分に防止できるようにすることを課題とするものである。
【課題を解決するための手段】
【００１１】
本発明においては、上記のような課題を解決するため、感光体を備えた感光体ユニットに、現像装置を備えた現像ユニットが取り付けられたイメージングユニットを梱包箱内に収容させたイメージングユニット梱包体において、上記のイメージングユニットの両側にイメージングユニットを持ち上げた状態で保持する保持部材と、イメージングユニットと所要間隔を介してその周囲を覆う筒状になった補強部材とを設け、上記のイメージングユニットにおける現像ユニットと補強部材との間に第１クッション材を設けると共に、上記の補強部材と梱包箱との間に第２クッション材を設けた。
【００１２】
ここで、上記の補強部材としては、大きな衝撃が加わった場合に変形できる段ボール等の可撓性材料で構成されたものを用いることが好ましい。
【００１３】
また、上記の第２クッション材としては、大きな衝撃が加わった場合における変形量が少なくて、上記の補強部材が変形するように、発泡倍率が３０〜５０倍のポリスチレン等の硬度の高いものを用いることが好ましい。
【００１４】
また、上記の第１クッション材としては、上記の補強部材の変形に伴って変形して、現像ユニットに加わる衝撃を緩和できるように、低密度発泡ポリエチレン等の硬度の低いものを用いることが好ましい。
【００１５】
また、本発明のイメージングユニット梱包体において、上記の感光体ユニットに現像ユニットを取り付けるにあたり、取付時における歪みを抑制すると共に、感光体ユニットと現像ユニットとの間に加わる負荷を軽減させるために、感光体ユニットに現像ユニットを付勢手段により付勢させた状態で取り付けることが好ましい。
【００１６】
また、本発明のイメージングユニット梱包体において、上記のイメージングユニットを梱包箱内に収容させるにあたっては、重量が大きい現像ユニットを下にして梱包箱内に収容させるようにし、上記の第１クッション材を、感光体ユニットに現像ユニットを取り付ける取付位置の下方における現像ユニットと補強部材との間に設けるようにすることが好ましい。
【発明の効果】
【００１７】
本発明におけるイメージングユニット梱包体においては、感光体ユニットに現像ユニットが取り付けられたイメージングユニットを梱包箱内に収容させるにあたり、イメージングユニットの両側にイメージングユニットを持ち上げた状態で保持する保持部材と、イメージングユニットと所要間隔を介してその周囲を覆う筒状になった補強部材とを設け、上記のイメージングユニットにおける現像ユニットと補強部材との間に第１クッション材を設けると共に、上記の補強部材と梱包箱との間に第２クッション材を設けたため、このイメージングユニット梱包体に大きな衝撃が加わった場合においても、上記の保持部材や補強部材に加えて、第１クッション材及び第２クッション材により、イメージングユニットに加わる負荷が軽減され、感光体ユニットに対する現像ユニットの取付状態等が変化するのが防止される。
【００１８】
特に、上記の補強部材に大きな衝撃が加わった場合に変形できる可撓性材料で構成されたものを用い、上記の第２クッション材に大きな衝撃が加わった場合における変形量が少ない硬度の高いものを用いると共に、上記の第１クッション材に硬度の低いものを用いると、このイメージングユニット梱包体がある程度の高さから落下されて、このイメージングユニット梱包体に大きな衝撃が加わった場合に、補強部材と梱包箱との間における第２クッション材が変形せずに、上記の補強部材が撓むように変形すると共に、この補強部材の変形に伴って、この補強部材と現像ユニットとの間における上記の第１クッション材が変形し、現像ユニットに加わる衝撃が大きく緩和され、感光体ユニットに対する現像ユニットの取付状態等が変化するのが一層防止されるようになる。
【発明を実施するための最良の形態】
【００１９】
次に、本発明の実施形態に係るイメージングユニット梱包体を添付図面に基づいて具体的に説明する。なお、この発明に係るイメージングユニット梱包体は、下記の実施形態に示したものに限定されず、その要旨を変更しない範囲において適宜変更して実施できるものである。
【００２０】
この実施形態に係るイメージングユニット梱包体においても、図２に示すように、感光体ユニット１０に対して現像ユニット２０の両側部をスプリング等の付勢部材３１により付勢させた状態で取付部材３２によって取り付けるようにしている。
【００２１】
そして、このように感光体ユニット１０に現像ユニット２０が取り付けられたイメージングユニットＡの両側に保持部材３３を配置させ、各保持部材３３における保持用凹部３３ａ内に上記のイメージングユニットＡにおける感光体ユニット１０の長手方向両側の端部を挿入させて、この感光体ユニット１０に現像ユニット２０を吊り下げるようにして、このイメージングユニットＡを一対の保持部材３３間に持ち上げた状態で保持させるようにしている。
【００２２】
また、この実施形態においては、図３及び図４に示すように、段ボールなどの可撓性材料で構成された補強部材４０を四角筒状に折り曲げ、この四角筒状になった補強部材４０により、上記のイメージングユニットＡと所要間隔を介するようにしてその周囲を覆うにあたり、この補強部材４０が現像ユニット２０と対向する面において、上記の取付部材３２によって感光体ユニット１０に取り付けられた現像ユニット２０の両側部の近傍と接触するようにして、低密度発泡ポリエチレン等で構成された硬度の低い一対の第１クッション材４１を設けている。また、この補強部材４０において、上記の一対の第１クッション材４１が設けられた面の裏面側に、一対の第１クッション材４１間の中央部に位置するようにして、発泡倍率が３０〜５０倍のポリスチレン等で構成された硬度の高い第２クッション材４２を、上記の各保持部材３３における下方に突出した下緩衝用突起３３ｂの高さとほぼ同じ厚みになるように設けている。
【００２３】
そして、上記の補強部材４０を筒状に折り曲げて、この補強部材４０により上記のイメージングユニットＡの周囲を覆うようにすると共に、上記の一対の第１クッション材４１を現像ユニット２０下部の両側部に接触させて、現像ユニット２０を保持させるようにする。
【００２４】
次いで、このようにイメージングユニットＡを一対の保持部材３３によって保持させると共に筒状になった補強部材４０によりその周囲を覆った状態で、図５及び図６に示すように、現像装置２１が設けられた現像ユニット２０が、感光体１１が設けられた感光体ユニット１０の下に位置するようにして、このイメージングユニットＡを梱包箱５０内に収容させ、上記の各保持部材３３において、下方に突出した下緩衝用突起３３ｂと、上方に突出した上緩衝用突起３３ｃと、側方に突出した横緩衝用突起３３ｄとを、それぞれ梱包箱５０の底部と、上部と、側部との内面に当接させると共に、補強部材４０に設けられた第２クッション材４２を梱包箱５０の底部の内面に当接させるようにする。
【００２５】
このようにすると、このイメージングユニット梱包体がある程度の高さから落下されて、このイメージングユニット梱包体に大きな衝撃が加わり、図７に示すように、上記の保持部材３３における下緩衝用突起３３ｂが潰れて扁平になり、上記の梱包箱５０と補強部材４０との間隔が狭くなった場合、上記の第２クッション材４２が殆ど変形せずに、この第２クッション材４２に押されて、上記の可撓性材料で構成された補強部材４０が撓むように変形すると共に、この補強部材４０の変形に伴って、補強部材４０と現像ユニット２０との間に設けられた硬度の低い第１クッション材４１が変形するようになる。
【００２６】
この結果、イメージングユニット梱包体に加わった大きな衝撃が何段階にも分散されて吸収され、特に、上記の補強部材４０が変形すると共に、この補強部材４０と現像ユニット２０との間に設けられた第１クッション材４１が変形することにより、現像ユニット２０に加わる衝撃が大きく緩和されるようになり、現像ユニット２０に上記の付勢部材３１の許容値を超える大きな衝撃が加わって上記の取付部材３２が変形するのが防止され、感光体ユニット１０に対する現像ユニット２０の取付状態等が変化するということがなくなる。
【００２７】
なお、この実施形態においては、上記の第１クッション材４１と第２クッション材４２とを補強部材４０に取り付けるようにしたが、第１クッション材４１と第２クッション材４２とを補強部材４０に着脱自在に取り付けるようにしたり、第１クッション材４１を現像ユニット２０と補強部材４０との間に、第２クッション材４２を補強部材４０と梱包箱５０との間に挟み込むようにしたりすることも可能である。
【００２８】
また、この実施形態においては、感光体ユニット１０に対して現像ユニット２０をスプリング等の付勢部材３１により付勢させた状態で取付部材３２によって取り付けるようにしたが、板バネのような弾性を有する取付部材（図示せず）によって感光体ユニット１０に対して現像ユニット２０を付勢させた状態で取り付けるようにすることも可能である。
【図面の簡単な説明】
【００２９】
【図１】感光体ユニットに現像ユニットが取り付けられたイメージングユニットを梱包箱内に収容させた従来のイメージングユニット梱包体を示した概略横断面図である。
【図２】本発明の一実施形態に係るイメージングユニット梱包体において、感光体ユニットに現像ユニットが取り付けられたイメージングユニットの両側に保持部材を配置させて、イメージングユニットを一対の保持部材間に持ち上げた状態で保持させた状態を示した概略横断面図である。
【図３】上記の実施形態に係るイメージングユニット梱包体において、イメージングユニットの周囲を覆う補強部材を折り曲げる前の状態を示した概略平面図である。
【図４】上記の実施形態に係るイメージングユニット梱包体において、一対の保持部材間に持ち上げられた状態で保持されたイメージングユニットの周囲を覆うようにして補強部材を取り付けた状態を示した概略横断面図である。
【図５】図４に示した状態でイメージングユニットを梱包箱内に収容させた上記の実施形態に係るイメージングユニット梱包体を示した概略横断面図である。
【図６】図４に示した状態でイメージングユニットを梱包箱内に収容させた上記の実施形態に係るイメージングユニット梱包体を示した概略縦断面図である。
【図７】上記の実施形態に係るイメージングユニット梱包体が落下されて大きな衝撃が加わった場合に変形する状態を示した概略横断面図である。
【符号の説明】
【００３０】
Ａ  イメージングユニット
１０  感光体ユニット
１１  感光体
２０  現像ユニット
２１  現像装置
３１  付勢部材
３２  取付部材
３３  保持部材
３３ａ  保持用凹部
３３ｂ  下緩衝用突起
３３ｃ  上緩衝用突起
３３ｄ  横緩衝用突起
４０  補強部材
４１  第１クッション材
４２  第２クッション材
５０  梱包箱
【図１】
2009220837.tif 000003
【図２】
2009220837.tif 000004
【図３】
2009220837.tif 000005
【図４】
2009220837.tif 000006
【図５】
2009220837.tif 000007
【図６】
2009220837.tif 000008
【図７】
2009220837.tif 000009